(57)【要約】【課題】使い捨て着用物品の脚周り弾性部材が、前半分に位置する第１弾性部材と、これと股下区域で離間して後半分に位置する第２弾性部材とからなる場合において、その離間部位から体液が漏れるのを防止する。【解決手段】使い捨て着用物品の脚周り弾性部材を、脚周り部１４の主として前半分に位置する円弧状の第１弾性部材１５と、主として後半分に位置する円弧状の第２弾性部材１６と、股下区域８の中央部において第１及び第２弾性部材と交差する第３及び第４弾性部材１７Ａ，１７Ｂから構成し、これら弾性部材で脚周り部１４を囲む。【選択図】図２
2005021708.tif 000002
【特許請求の範囲】
【請求項１】
トップシートと、バックシートと、これら両シートの前後区域間に位置する股下区域の両側に円弧状に凹欠する脚周り部と、前記脚周り部を囲むための、両側部及びこれら間の中央部を有する各々一連の第１及び第２弾性部材と第３及び第４弾性部材とを含む使い捨て着用物品において、
前記第１弾性部材の前記中央部が前記股下区域を横切るとともに該第１弾性部材の前記両側部が前記脚周り部の各々のほぼ前半分における該脚周り部の縁近傍に沿って伸縮可能に位置し、かつ、前記第２弾性部材の前記中央部が前記第１弾性部材の前記中央部と並列し前記物品の縦方向に離間して前記股下区域を横切るとともに該第２弾性部材の前記両側部が前記脚周り部の各々のほぼ後半分における該脚周り部の縁近傍に沿って伸縮可能に位置し、前記第３及び第４弾性部材が前記股下区域の両側部において前記物品の縦方向に伸縮可能に位置して前記第１及び第２弾性部材の前記両側部と交差していることを特徴とする前記物品。
【請求項２】
前記トップシートと前記バックシートとの間に吸液性コアが介在し、前記第３及び第４弾性部材が前記コアの側縁から外側へ５ｍｍ以上離隔している請求項１に記載の物品。
【発明の詳細な説明】
【技術分野】
【０００１】
この発明は、使い捨ておむつやトレニングパンツなどの使い捨て着用物品に関する。
【背景技術】
【０００２】
従来、これら着用物品の脚周り部に沿って弾性部材を取付け、該部を着用者の脚周りに密着させることは、慣用技術として知られている。また、かかる技術に基づく着用物品の弾性部材を脚周り部の前半分に取付けた第１弾性部材と、後半分に取付けた第２弾性部材とにより構成する技術が米国特許第４，８９７，０８４号明細書（特許文献１）や特開平３−１８６２６３号公報（特許文献２）によって公知である。これら公知技術を利用すると、脚周り部の前半分と後半分の各々で異なる条件、例えば弾性部材の種類やそれらの使用本数、間隔、収縮力などについて異なる条件を採用することができ、それによって着用感や体液の防漏性に優れた着用物品を得ることができる。
【０００３】
特許文献１が教示するところによれば、使い捨ておむつにおいて、左脚周りの前半分から股下区域を経て右脚周りの前半分へとＵ字型を描くように第１弾性部材を取付ける一方、左脚周りの後半分から股下区域を経て右脚周りの後半分へと逆Ｕ字型を描くように第２弾性部材を取付け、股下区域においてそれら第１弾性部材と第２弾性部材とを交差させることなく所要の寸法だけ離隔させておくことができる。
【０００４】
図５は、前記公知技術に基づいて使い捨ておむつの裏面シート１２に第１及び第２脚周り弾性部材１５，１６をＵ字型と逆Ｕ字型に取付けた状態を示す平面図である。第１及び第２弾性部材１５，１６は、股下区域８の前後方向中央部において距離Ｄだけ離隔している。
【特許文献１】米国特許第４，８９７，０８４号明細書
【特許文献２】特開平３−１８６２６３号公報
【発明の開示】
【発明が解決しようとする課題】
【０００５】
図５の裏面シート１２を有するおむつは、前区域６と後区域７とを重ね合わせると、第１及び第２弾性部材１５，１６が実質的なループを形成し、着用者の脚周りに密着可能になる。しかし、第１及び第２弾性部材１５，１６は、股下区域８の中央部で離隔しているから、該部近傍が脚周りに密着しにくく、そこから体液が漏れ易いという問題がある。股下区域８は、体液の排泄が特に集中するところであって、その問題を軽視できない。
【０００６】
かかる問題を解決するために、弾性部材の収縮力を強めることがある。しかし、そのような手段は、当該部位の問題を解決する一方で、脚周りの血行を阻害したり、物品の着用感を損ねたりするという問題を生じるから、完全な解決手段にはなり得ない。
【０００７】
この発明は、着用物品の前後方向に伸縮可能な第３及び第４弾性部材を脚周り部の前半分と後半分に沿う第１弾性部材と第２弾性部材とに交差するように取付け、これら第１、第２、第３及び第４弾性部材で脚周り部を囲むことにより前記問題を解決することを課題にしている。
【課題を解決するための手段】
【０００８】
この発明が前記課題を解決するために手段とするところは、以下のとおりである。
【０００９】
この発明が前記手段のための前提とするところは、トップシートと、バックシートと、これら両シートの前後区域間に位置する股下区域の両側に円弧状に凹欠する脚周り部と、前記脚周り部を囲むための、両側部及びこれら間の中央部を有する各々一連の第１及び第２弾性部材と第３及び第４弾性部材とを含む使い捨て着用物品である。
【００１０】
この発明は、前記前提において、前記第１弾性部材の前記中央部が前記股下区域を横切るとともに該第１弾性部材の前記両側部が前記脚周り部の各々のほぼ前半分における該脚周り部の縁近傍に沿って伸縮可能に位置し、かつ、前記第２弾性部材の前記中央部が前記第１弾性部材の前記中央部と並列し前記物品の縦方向に離間して前記股下区域を横切るとともに該第２弾性部材の前記両側部が前記脚周り部の各々のほぼ後半分における該脚周り部の縁近傍に沿って伸縮可能に位置し、前記第３及び第４弾性部材が前記股下区域の両側部において前記物品の縦方向に伸縮可能に位置して前記第１及び第２弾性部材の前記両側部と交差していることを特徴とする。
【００１１】
この発明の実施の形態は、前記トップシートと前記バックシートとの間に吸液性コアが介在し、前記第３及び第４弾性部材が前記コアの側縁から外側へ５ｍｍ以上離隔していることを含む。
【発明の効果】
【００１２】
この発明に係る使い捨て着用物品によれば、脚周り部の前半分と後半分とに円弧を描くように取付けた第１及び第２弾性部材各々に縦方向に伸長した第３及び第４弾性部材を交差させて脚周り部を囲み、脚周り方向への伸縮性をもたせたから、それら第１及び第２弾性部材の中央部が股下区域で互いに離隔していても、当該部からの体液漏れを防止することができる。
【００１３】
トップシートとバックシートとの間に吸液性コアが介在し、第３及び第４弾性部材が前記コアの側縁から外側へ５ｍｍ以上離隔している実施の形態によれば、コアの剛性によって第３及び第４弾性部材の伸縮が妨げられるのを防止することができる。
【発明を実施するための最良の形態】
【００１４】
この発明に係る使い捨て着用物品の詳細を、使い捨てのパンツ型おむつを例にとり、添付の図面を参照しながら説明すると、以下のとおりである。
【００１５】
図１は、着用状態にある使い捨てのパンツ型おむつ１の斜視図であるが、着用者の図示を省略してある。おむつ１は、胴周り開口部２と、左右一対の脚周り開口部３とを有し、各開口部２，３に沿って胴周り弾性部材４と脚周り弾性部材５とがある。おむつ１の前後区域６，７は、左右両側のそれぞれにおいて重なり合い、接合線９で一体になっている。
【００１６】
図２は、おむつ１を接合線９に沿って切り開き、前後に伸展した状態で示すおむつ１の分解斜視図である。おむつ１は、その厚み方向が透液性トップシート１１と、不透液性バックシート１２と、それら両シート１１，１２間に介在する吸液性コア１３とからなり、トップシート１１とバックシート１２とはコア１３の周縁から延出する部分が水密に接合し、コア１３は、両シート１１，１２の少なくともいずれか一方に間欠的に接合している。おむつ１は、その長手方向において、前後区域６，７と、それら区域間に介在する股下区域８とによって構成され、股下区域８の左右両側に弧状の凹欠からなる脚周り部１４がある。バックシート１２のトップシート１１と対向している内面には脚周り用の第１、第２、第３及び第４弾性部材１５，１６，１７Ａ，１７Ｂがホットメルト接着剤（図示せず）により取付けてある。第１、第２、第３及び第４弾性部材１５，１６，１７Ａ，１７Ｂは、それぞれが１本または２本以上の弾性リボンからなり、第１及び第２弾性部材１５，１６は少なくとも脚周り部１４に沿う弧状の部分（両側部）１５Ａ，１６Ａが伸長し、それらの中央部１５Ｂ，１６Ｂが股下区域８で互いに並列しておむつ１の縦方向へ離間し、第３及び第４弾性部材１７Ａ，１７Ｂは、同方向へ伸長した状態にある。
【００１７】
図３は、バックシート１２の内面を示す平面図であって、第１、第２、第３及び第４弾性部材１５，１６，１７Ａ，１７Ｂの取付け状態を明らかにしている。第１弾性部材１５は、両側部１５Ａ及びこれら間の中央部１５Ｂを有する各々一連のものであって、第１弾性部材１５の中央部１５Ｂが股下区域８を横切るとともに第１弾性部材１５の両側部１５Ａが脚周り部の各々のほぼ前半分における該脚周り部の縁近傍に沿って伸縮可能に位置している。また、第２弾性部材１６は、両側部１６Ａ及びこれら間の中央部１６Ｂを有する各々一連のものであって、第２弾性部材１６の中央部１６Ｂが股下区域８を横切るとともに第２弾性部材１６の両側部１６Ａが脚周り部１４の各々のほぼ後半分における該脚周り部の縁近傍に沿って伸縮可能に位置している。第１及び第２弾性部材１５，１６は、それぞれ股下区域８の中央部において逆Ｕ字とＵ字とを描き、距離Ｄだけ互いに離隔している。第３及び第４弾性部材１７Ａ，１７Ｂは、股下区域８の両側部それぞれにおいて、おむつ１の縦方向に延び、股下区域８の両側部において第１及び第２弾性部材１５，１６の両側部１５Ａ，１６Ａと交差し、交点２２Ａ，２２Ｂ，２３Ａ，２３Ｂを形成している。これら第１、第２、第３及び第４弾性部材１５，１６，１７Ａ，１７Ｂは、脚周り部１４を囲んだ状態にある。
【００１８】
このように第１、第２、第３及び第４弾性部材１５，１６，１７Ａ，１７Ｂが取付けてある伸展状態のおむつ１は、前後方向を二分する中心線Ｘ−Ｘに沿ってトップシート１１を内側に二つに折り重ね、接合線９で接合すると、左右の脚周り部１４それぞれが脚周り開口３を形成するとともに、第１弾性部材１５の外端部１５Ｃ，１５Ｄと第２弾性部材１６の外端部１６Ｃ，１６Ｄとが実質的に重なり合い、第１及び第２弾性部材１５，１６と第３及び第４弾性部材１７Ａ，１７Ｂとで実質的に着用者の脚周り方向に伸縮可能なループからなる脚周り弾性部材５を形成する（図１参照）。
【００１９】
なお、図４は、図３と同様な平面図であって、第３及び第４弾性部材１７Ａ，１７Ｂに代えて伸縮性シート１７を用いた例を示す。この伸縮性シート１７は、おむつ１の縦方向に伸長してバックシート１２の内面に接合してあり、その左右側縁部が第１及び第２弾性部材１５，１６の両側部１５Ａ，１６Ｂと交差している。股下区域８は、伸縮性シート１７が接合した範囲がおむつの縦方向に収縮可能であり、着用者の股部に密着して体液の横漏れを効果的に防止することができる。
【００２０】
この発明に係る着用物品において、実施例のように吸液性コア１３を使用する場合には、コア１３の剛性によって第３及び第４弾性部材１７Ａ，１７Ｂの伸縮が妨げられないように、部材１７Ａ，１７Ｂの取付け位置をコア１３の側縁から外方へ適宜離隔させることが必要であって、その離隔距離を好ましくは５ｍｍ以上にする。第１及び第２弾性部材１５，１６は、図３に例示のように、股下区域８を左から右へと横断することを必須の条件とするものではなく、股下区域８で切断された状態、すなわち、交点２２Ａと２２Ｂとの間及び２３Ａと２３Ｂとの間で中央部１５Ｂ，１６Ｂが切断されていてもよいし、またそこに存在していなくてもよい。いずれの場合にも、第１及び第２弾性部材１５，１６は、脚周り開口３又は脚周り部１４の上方部分に外端部１５Ｃ，１５Ｄ，１６Ｃ，１６Ｄを有し、脚周り開口３又は脚周り部１４の下方部分に内端部１５Ｅ，１５Ｆ，１６Ｅ，１６Ｆを有しているのであるが、第１弾性部材１５および／または第２弾性部材１６が股下区域８を横断するものであるときには、部材１５，１６がそれぞれの脚周り開口３から遠ざかり、おむつ１を左右に二分する中心線の方向へ進み始める部分をその前記内端部ということができる。実施例では、この内端部を股下区域８の前後方向中央部に位置させてあるが、それを前後いずれか一方へ片寄らせることも可能である。これら第１、第２、第３及び第４弾性部材１５，１６，１７Ａ，１７Ｂは、通常バックシート１２の内面に取付けるものであるが、それらをトップシート１１に取付けたり、第１及び第２弾性部材１５，１６と第３及び第４弾性部材１７Ａ，１７Ｂとを互いに異なるトップシート１１またはバックシート１２に取付けることもできる。
【００２１】
この発明に係る着用物品には、当該技術分野の慣用素材を使用することができる。それら素材を組立てるための接合や取付けには、周知の接合技術や熱融着技術を利用することができる。
【図面の簡単な説明】
【００２２】
【図１】使い捨ておむつ（使い捨て着用物品）の斜視図。
【図２】前後に伸展した使い捨ておむつの分解斜視図。
【図３】バックシートの平面図。
【図４】他の実施の形態を示すバックシート部分の平面図。
【図５】従来技術の使い捨ておむつを例示する図３と同様の平面図。
【符号の説明】
【００２３】
１    使い捨ておむつ（使い捨て着用物品）
５    脚周り弾性部材
６    前区域
７    後区域
８    股下区域
１１    トップシート
１２    バックシート
１３    コア
１５    第１弾性部材
１５Ａ    両側部
１５Ｂ    中央部
１６    第２弾性部材
１６Ａ    両側部
１６Ｂ    中央部
１７Ａ    第３弾性部材
１７Ｂ    第４弾性部材
【図１】
2005021708.tif 000003
【図２】
2005021708.tif 000004
【図３】
2005021708.tif 000005
【図４】
2005021708.tif 000006
【図５】
2005021708.tif 000007